(57)【要約】【課題】室内等にて使用される気化式加湿装置において、気化による加湿動作を結露状態により報知する加湿装置を提供することを目的とする。【解決手段】吹出口３の加湿空気を結露する結露促進手段１０と、この結露促進手段１０に放熱を行う放熱手段１１と、前記結露促進手段１０を制御する制御手段１３を備え、吹出される加湿空気を結露促進手段１０による冷却により冷却面に結露を発生させ加湿空気が吹出されていることを報知することができる。【選択図】図１
2009257643.tif 000002
【特許請求の範囲】
【請求項１】
吸込口と吹出口を連通し形成された空気流路に送風手段を設けた本体と、この本体に設けた給水タンクから一定水位に保たれるように給水される水槽と、この水槽の貯留水に常に下部を浸し、前記空気流路内に回転可能に軸支される中空円筒形状の加湿フィルターユニットと、この加湿フィルターユニットを回転する回転手段と、前記吹出口の加湿空気を結露させる結露促進手段と、この結露促進手段の放熱を行う放熱手段と、前記結露促進手段を制御する制御手段を備え、前記結露促進手段の結露状態により加湿空気が吹出されていることを報知することを特徴とする加湿装置。
【請求項２】
吸込口に結露促進手段の放熱を行う放熱手段へ送風する風向板を備え、結露促進手段の放熱を促進することを特徴とする請求項２記載の加湿装置。
【請求項３】
吹出口に吹出温度を検知する吹出温度センサと、結露促進手段の冷却面の温度を検知する冷却温度センサと、前記吹出温度センサと前記冷却温度センサの検知信号により結露促進手段を制御する制御手段を備えたことを特徴とする請求項１から２いずれかに記載の加湿装置。
【請求項４】
吸込口に吸込温度を検知する吸込温度センサと、結露促進手段の冷却面の温度を検知する冷却温度センサと、前記吸込温度センサと前記冷却温度センサの検知信号により結露促進手段を制御する制御手段を備えたことを特徴とする請求項１から２いずれか記載の加湿装置。
【請求項５】
制御手段は所定の時間間隔で結露促進手段を制御する間欠駆動手段を設けたことを特徴とする請求項１から４のいずれかに記載の加湿装置。
【請求項６】
結露促進手段の結露面に吹付ける直接風を防止する遮蔽手段を備えたことを特徴とする請求項１から５いずれかに記載の加湿装置。
【請求項７】
空気流路に結露促進手段の結露水を水槽に排水する排水手段を備えたことを特徴とする請求項１から６いずれかに記載の加湿装置。
【請求項８】
結露促進手段に照射する発光手段と、発光手段を制御する制御手段を備えたことを特徴とする請求項１から７いずれかに記載の加湿装置。
【請求項９】
結露促進手段に照射する複数の発光手段と、複数の発光手段を制御する制御手段を備えたことを特徴とする請求項１から８いずれかに記載の加湿装置。
【請求項１０】
制御手段は加湿装置の運転停止後、所定の時間送風運転する遅延手段を設けたことを特徴とする請求項１から９いずれかに記載の加湿装置。
【発明の詳細な説明】
【技術分野】
【０００１】
本発明は、室内等の空間を吸水したフィルターに風を通して気化させることにより加湿する加湿装置に関するものである。
【背景技術】
【０００２】
従来、この種の加湿装置の一例として、吸水したフィルターを回転して加湿するものが知られていた（例えば特許文献１参照）。
【０００３】
以下、加湿装置について図１２を参照しながら説明する。
【０００４】
図１２に示すように、水槽部１０１と、この水槽部１０１に一定量の水を供給する給水用タンク１０２と、室内の乾燥した空気を取入れる吸込口１０３と室内に湿った空気を送る吹出口１０４と、両口間を連絡する風路中に配設された送風装置１０５と、この送風装置１０５の出口側に配設されたヒーター１０６と、小穴の開いた吸水性の良いシート状の素材をプリーツ折りして形成され、下端部を水槽部内の水に浸漬した気化フィルター１０７とにより構成されている。送風装置１０５によって吸込口１０３から吸い込まれた室内の乾燥した空気をヒーター１０６を通過させて加熱した後、水槽部１０１の水により湿潤した気化フィルター１０７を通過し、吹出口１０４から吹出される。気化フィルター１０７は回転自在とし、一方の下端部が水槽部１０１の水中に水没した状態と、水面と略水平に保持される状態と、他方の下端部が水中に水没する状態でそれぞれ停止するようにしている。
【特許文献１】特開２００３−３０２０７７号公報
【発明の開示】
【発明が解決しようとする課題】
【０００５】
このような従来の図１２の加湿装置では、加湿フィルターに水分を吸水させフィルター表面と空気の接触により水分を気化させるため、加湿空気が吹出されているのが目に見えず加湿されているのか判断できにくいという課題があり、気化による加湿空気の吹出しを目視で確認できるようにすることが要求されている。
【０００６】
本発明は、上記従来の課題を解決するもので、水分を気化するための加湿空気を結露させることにより加湿空気が吹出されていることを報知することができる加湿装置を提供することを目的としている。
【課題を解決するための手段】
【０００７】
本発明の加湿装置は、上記目的を達成するために、吸込口と吹出口を連通し形成された空気流路に送風手段を設けた本体と、この本体に設けた給水タンクから一定水位に保たれるように給水される水槽と、この水槽の貯留水に常に下部を浸し、前記空気流路内に回転可能に軸支される中空円筒形状の加湿フィルターユニットと、この加湿フィルターユニットを回転する回転手段と、前記吹出口の加湿空気を結露させる結露促進手段と、この結露促進手段に放熱を行う放熱手段と、前記結露促進手段を制御する制御手段を備え、前記結露促進手段の結露状態により加湿空気が吹出されていることを報知する構成としたものである。
【０００８】
この手段により、気化された加湿空気が吹出されていることを結露状態により報知することができる加湿装置が得られる。
【０００９】
また、他の手段は、吸込口に放熱手段へ送風する風向板を備えた構成としたものである。
【００１０】
この手段により、結露促進手段の放熱を促進し結露状態により報知することができる加湿装置が得られる。
【００１１】
また、他の手段は、吹出口に吹出温度を検知する吹出温度センサと、結露促進手段の冷却面の温度を検知する冷却温度センサと、前記吹出温度センサと前記冷却温度センサの検知信号により結露促進手段を制御する制御手段を備えた構成としたものである。
【００１２】
この手段により、吹出温度と結露促進手段の冷却温度に応じて結露促進手段の運転、停止を行い結露状態を調整することができる加湿装置が得られる。
【００１３】
また、他の手段は、吸込口に吸込温度を検知する吸込温度センサと、結露促進手段の冷却面の温度を検知する冷却温度センサと、前記吸込温度センサと前記冷却温度センサの検知信号により結露促進手段を制御する制御手段を備えた構成としたものである。
【００１４】
この手段により、吸込温度と結露促進手段の冷却温度に応じて結露促進手段の運転、停止を行い結露状態を調整することができる加湿装置が得られる。
【００１５】
また、他の手段は、制御手段は所定の時間間隔で結露促進手段を制御する間欠駆動手段構成としたものである。
【００１６】
この手段により、過結露により水滴が垂れ結露状態を判別しにくくなるのを防ぐと共に結露促進手段の消費電力を抑え結露状態を維持することができる加湿装置が得られる。
【００１７】
また、他の手段は、結露促進手段の結露面に吹付ける直接風を防止する遮蔽手段を備えた構成としたものである。
【００１８】
この手段により、結露面の空気の流れを抑制し容易に結露状態にすることができる加湿装置が得られる。
【００１９】
また、他の手段は、空気流路に結露水を水槽に排水する排水手段を備えた構成としたものである。
【００２０】
この手段により、結露水の本体内への浸入を防ぎ不要な結露水を排水することができる加湿装置が得られる。
【００２１】
また、他の手段は、結露促進手段に照射する発光手段と、発光手段を制御する制御手段を備えた構成としたものである。
【００２２】
この手段により、結露促進手段の結露状態を認識しやすくすることができる加湿装置が得られる。
【００２３】
また、他の手段は、結露促進手段に照射する複数の発光手段と、複数の発光手段を制御する制御手段を備えた構成としたものである。
【００２４】
この手段により、結露促進手段の結露状態に複数の色を加えて認識することができる加湿装置が得られる。
【００２５】
また、他の手段は、制御手段は加湿装置の運転停止後、所定の時間送風運転する遅延手段を設けた構成としたものである。
【００２６】
この手段により、運転停止後は送風により結露を早く乾燥させることができる加湿装置が得られる。
【発明の効果】
【００２７】
本発明によれば、気化された加湿空気が吹出されていることを結露状態により報知することができる加湿装置を提供できる。
【００２８】
また、結露促進手段の放熱を吸込み空気の暖気に有効利用し、かつ結露促進手段の冷却を効率良く行い結露状態により報知することができる加湿装置を提供できる。
【００２９】
また、周囲温度に応じて無駄な電力を抑え結露促進手段による結露状態により気化された加湿空気が吹出されていることを報知することができる加湿装置を提供できる。
【発明を実施するための最良の形態】
【００３０】
本発明の請求項１記載の発明は、吸込口と吹出口を連通し形成された空気流路に送風手段を設けた本体と、この本体に設けた給水タンクから一定水位に保たれるように給水される水槽と、この水槽の貯留水に常に下部を浸し、前記空気流路内に回転可能に軸支される中空円筒形状の加湿フィルターユニットと、この加湿フィルターユニットを回転する回転手段と、吹出口の加湿空気を結露させる結露促進手段と、この結露促進手段に放熱を行う放熱手段と、前記結露促進手段を制御する制御手段を備え、前記結露促進手段の結露状態により加湿空気が吹出されていることを報知するようにしたものであり気化された加湿空気が吹出されていることを結露状態により報知することができるという作用を有する。
【００３１】
また、請求項２記載の発明は、吸込口に放熱手段へ送風する風向板を備えたものであり、結露促進手段の放熱を促進し結露状態により報知することができるという作用を有する。
【００３２】
また、請求項３記載の発明は、吹出口に吹出温度を検知する吹出温度センサと、結露促進手段の冷却面の温度を検知する冷却温度センサと、前記吹出温度センサと前記冷却温度センサの検知信号により結露促進手段を制御する制御手段を備えたものであり、吹出温度と結露促進手段の冷却温度に応じて結露促進手段の運転、停止を行い結露状態を調整することができるという作用を有する。
【００３３】
また、請求項４記載の発明は、吸込口に吸込温度を検知する吸込温度センサと、結露促進手段の冷却面の温度を検知する冷却温度センサと、前記吸込温度センサと前記冷却温度センサの検知信号により結露促進手段を制御する制御手段を備えたものであり、吸込温度と結露促進手段の冷却温度に応じて結露促進手段の運転、停止を行い結露量を調整することができるという作用を有する。
【００３４】
また、請求項５記載の発明は、制御手段は所定の時間間隔で結露促進手段を制御する間欠駆動手段を設けたものであり、過結露により水滴が垂れ結露状態を判別しにくくなるのを防ぐと共に結露促進手段の消費電力を抑え結露状態を維持することができるという作用を有する。
【００３５】
また、請求項６記載の発明は、結露促進手段の結露面に吹付ける直風を防止する遮蔽手段を備えたものであり、結露面の空気の流れを抑制し容易に結露状態にすることができるという作用を有する。
【００３６】
また、請求項７記載の発明は、空気流路に結露促進手段の結露水を水槽に排水する排水手段を備えたものであり、結露水の本体内への浸入を防ぎ不要な結露水を排水することができるという作用を有する。
【００３７】
また、請求項８記載の発明は、結露促進手段に照射する発光手段と、発光手段を制御する制御手段を備えたものであり、結露促進手段の結露状態を認識しやすくすることができるという作用を有する。
【００３８】
また、請求項９記載の発明は、結露促進手段に照射する複数の発光手段と、複数の発光手段を制御する制御手段を備えたものであり、結露促進手段の結露状態に複数の色を加えて認識することができるという作用を有する。
【００３９】
また、請求項１０記載の発明は、制御手段は加湿装置の運転停止後、所定の時間送風運転する遅延手段を設けたものであり、運転停止後は所定の時間送風を行うことにより結露を早く乾燥させることができるという作用を有する。
【００４０】
以下、本発明の実施の形態について図面を参照しながら説明する。
【００４１】
（実施の形態１）
図１は本願発明における加湿装置の構成を示す側面概略図、図２は加湿装置の構成を示す正面概略図である。
【００４２】
図１から図２に示すように、本体１は吸込口２と吹出口３を連通した空気流路に送風手段４としてファンモーターと、加熱手段５として電熱ヒーターが設けられている。給水タンク６は本体１から取り外し自在に設けられ、給水タンク６の水は、水槽７に一定に保たれる。この水槽７の貯留水に下部を浸した回転可能に軸支される加湿フィルターユニット８が設けられている。加湿フィルターユニット８を回転する回転手段９としてタイミングモーターは、駆動ギアによって加湿フィルターユニット８と連動している。ペルチェモジュールを用いた結露促進手段１０は冷却面と放熱面を有し、この放熱面は放熱手段１１としてアルミニウムのヒートシンクを備えて構成し給気口２側の風路に配置し、前記冷却面は反射膜を施したハーフミラーのアクリル樹脂１２を隔てて吹出口３側の風路に配置している。冷却面は吹出口３のアクリル樹脂１２へシリコングリス等の熱伝導率の高い接着剤を介してネジにて固定されている。送風手段４の横には、制御手段１３が配置されている。
【００４３】
上記構成において、運転開始信号が制御手段１３に送られると送風手段４、加熱手段５、回転手段９、結露促進手段１０に通電し運転を開始する。吸込口２から吸込まれた空気は、加熱手段５で暖められ回転手段９により回転する加湿フィルターユニット８に送風される。水槽７に下部を浸して回転している加湿フィルター１４の水分は加湿フィルター１４を通過した空気と接触することにより気化され加湿される。加湿された加湿空気の湿度は８５〜９５％となり吹出口３から本体１外へ放出される。結露促進手段１０は通電により冷却面のアクリル樹脂を冷却する。室温１８℃のとき、吹出される加湿空気は加湿フィルター１４から気化する水分によりおよそ１６℃、８５％以上となる。このときの加湿空気の飽和水蒸気量からアクリル樹脂は１℃から１０℃程度に冷却することで反射皮膜を施したハーフミラーのアクリル樹脂１２表面に結露が発生する。このように加湿空気の一部を結露促進手段１０の冷却面のアクリル樹脂１２に接触させて結露を発生させることで加湿空気が吹出されていることをアクリル樹脂１２の表面に発生した結露から加湿空気が吹出されていることを容易に認識することが可能となる。
【００４４】
（実施の形態２）
次に、本発明の実施の形態２について図面を参照しながら説明する。なお、実施の形態１と同一のものは同一番号を付し、その詳細な説明を省略する。
【００４５】
図３に示すように、図１または図２の構成に加えて吸込口２に結露促進手段１０の放熱を行う放熱手段１１としてアルミニウムのヒートシンクへ向けて吸込空気の気流の向きを変える風向板１５が配置されている。
【００４６】
上記構成において、運転開始信号が制御手段１３に送られると送風手段４、加熱手段５、回転手段９、結露促進手段１０に通電し運転を開始する。吸込口２から吸込まれた空気は、風向板１５により結露促進手段１０の放熱手段１１へ向けて送風されヒートシンクのフィンを通過する。フィンを通過する気流は結露促進手段１０の放熱を促進し、結露促進手段１０の放熱面が効率よく冷却される。放熱手段１１を通過することにより暖められた空気は加熱手段５に送風され、加熱手段５を通過した送風空気の温度が高められる。このとき温度上昇した送風空気により加湿フィルター１４を通過し気化するときの加湿量は増加される。結露促進手段１０の通電により冷却されたアクリル樹脂１２を加湿空気が通過するとき吹出の加湿量が増加していることにより反射皮膜を施したハーフミラーのアクリル樹脂１２表面の結露発生状態を促進し加湿空気が吹出されていることを認識することが可能となる。
【００４７】
（実施の形態３）
次に、本発明の実施の形態３について図面を参照しながら説明する。なお、実施の形態１から２と同一のものは同一番号を付し、その詳細な説明を省略する。
【００４８】
図４に示すように、図１から図３のいずれかの構成に加えて吹出口３に吹出温度を検知する吹出温度センサ１６としてサーミスタと、結露促進手段１０の冷却面の温度を検知する冷却温度センサ１７としてサーミスタが設けられている。吹出温度センサ１６の検知信号と冷却温度センサ１７の検知信号は制御手段１３に送られる。制御手段１３はそれぞれの温度センサの検知信号を比較し結露促進手段１０の冷却を制御している。
【００４９】
上記構成において、運転開始信号が制御手段１３に送られると送風手段４、加熱手段５、回転手段９、結露促進手段１０に通電し運転を開始する。運転により吹出される加湿空気から吹出温度センサ１６は吹出温度を検知し検知信号が制御手段１３に送られる。また、冷却温度センサ１７は結露促進手段１０の冷却面の温度を検知し検知信号が制御手段１３に送られる。吹出される検知温度が１６℃、８５％以上のときの飽和水蒸気量から冷却温度センサ１７の検知温度を９℃から１３℃に冷却するように制御手段１３により結露促進手段１０の通電、停止の制御を行う。加湿空気の吹出温度と結露促進手段１０の冷却面の温度検知により結露促進手段１０による結露の発生状態を効率的に制御し、反射皮膜を施したハーフミラーのアクリル樹脂１２表面に発生した結露から加湿空気が吹出されていることを認識することが可能となる。
【００５０】
（実施の形態４）
次に、本発明の実施の形態４について図面を参照しながら説明する。なお、実施の形態１から３と同一のものは同一番号を付し、その詳細な説明を省略する。
【００５１】
図５に示すように、図１から図３のいずれかの構成に加えて吸込口２に吸込温度を検知する吸込温度センサ１８としてサーミスタと、結露促進手段１０の冷却面の温度を検知する冷却温度センサ１７としてサーミスタが設けられている。吹込温度センサ１８の検知信号と冷却温度センサ１７の検知信号は制御手段１３に送られる。制御手段１３はそれぞれの温度センサの検知信号を比較し結露促進手段１０の冷却を制御している。
【００５２】
上記構成において、運転開始信号が制御手段１３に送られると送風手段４、加熱手段５、回転手段９、結露促進手段１０に通電し運転を開始する。運転により吸込まれる空気から吹込温度センサ１８は吹込温度を検知し検知信号が制御手段１３に送られる。また、冷却温度センサ１７は結露促進手段１０の冷却面の温度を検知し検知信号が制御手段１３に送られる。吹込まれる検知温度が１８℃のとき、吹出される加湿空気は加湿フィルター１４を通過するときの気化によりおよそ１６℃、８５％以上となる。このときの加湿空気の飽和水蒸気量から冷却温度センサ１７の検知温度を９℃から１３℃に冷却するように制御手段１３により結露促進手段１０の通電、停止の制御を行う。吸込温度と結露促進手段１０の冷却面の温度検知により結露促進手段１０による結露の発生状態を効率的に制御し、反射皮膜を施したハーフミラーのアクリル樹脂１２表面に発生した結露から加湿空気が吹出されていることを認識することが可能となる。
【００５３】
（実施の形態５）
次に、本発明の実施の形態５について図面を参照しながら説明する。なお、実施の形態１から４と同一のものは同一番号を付し、その詳細な説明を省略する。
【００５４】
図６に示すように、図１から図５のいずれかの構成に加えて制御手段１３は所定の時間間隔で結露促進手段を制御する間欠駆動手段１９を設けた構成とする。
【００５５】
上記構成において、運転開始信号が制御手段１３に送られると送風手段４、加熱手段５、回転手段９、結露促進手段１０に通電し運転を開始する。結露促進手段１０は通電により冷却面のアクリル樹脂１２を冷却する。吹出される湿度は８５％以上あり一度アクリル樹脂１２表面を結露状態にさせた後、結露促進手段１０の冷却の停止後もすぐに結露状態は解消さずアクリル樹脂１２表面には結露が維持されている。制御手段１３の間欠駆動手段１９は結露促進手段１０を１０分間運転、１０分間停止の間欠運転を行う。過結露により水滴が垂れ結露状態を判別しにくくなるのを防ぐと共に結露促進手段１０の消費電力を抑え結露状態を維持し反射皮膜を施したハーフミラーのアクリル樹脂１２表面に発生した結露から加湿空気が吹出されていることを認識することが可能となる。
【００５６】
（実施の形態６）
次に、本発明の実施の形態６について図面を参照しながら説明する。なお、実施の形態１から５と同一のものは同一番号を付し、その詳細な説明を省略する。
【００５７】
図７に示すように、図１から６のいずれかの構成に加えて結露促進手段１０の結露面に吹付ける直接風を防止する遮蔽手段２０として結露面下部に防風壁を備えた構成とする。
【００５８】
上記構成において、運転開始信号が制御手段１３に送られると送風手段４、加熱手段５、回転手段９、結露促進手段１０に通電し運転を開始する。吸込口２から吸込まれた空気は、加熱手段５で暖められ回転手段９により回転する加湿フィルターユニット８に送風される。水槽７に下部を浸して回転している加湿フィルター１４の水分は加湿フィルター１４を通過した空気と接触することにより気化され加湿される。加湿フィルター１４を通過した加加湿空気は遮蔽手段２０により結露促進手段１０の結露面へ直接吹付けるのを防止し、本体１外へ放出される。反射皮膜を施したハーフミラーのアクリル樹脂１２表面の空気の流れを抑制することにより結露面を容易に結露状態にすることができる。
【００５９】
（実施の形態７）
次に、本発明の実施の形態７について図面を参照しながら説明する。なお、実施の形態１から６と同一のものは同一番号を付し、その詳細な説明を省略する。
【００６０】
図８に示すように、図１から７のいずれかの構成に加えて空気流路に結露促進手段１０の結露水を水槽に排水する排水手段２１として排水路は、結露促進手段１０の下方に設けられ水槽７へ向けて開口している。
【００６１】
上記構成において、結露促進手段１０あるいはアクリル樹脂１２に発生した不要な結露水は、結露促進手段１０の下部に設けた排水手段２１を伝わり開口部２２から水槽７へ滴り落ちる。また、アクリル樹脂１２表面に発生した結露水は、遮蔽手段２０から排水手段２１を伝わり結露面の下方に配置され上方からの水滴を受ける水槽７に滴り落ちることととなる。結露水の本体内への浸入を防ぎ不要な結露水を排水することができる。
【００６２】
（実施の形態８）
次に、本発明の実施の形態８について図面を参照しながら説明する。なお、実施の形態１から７と同一のものは同一番号を付し、その詳細な説明を省略する。
【００６３】
図９に示すように、図１から図８のいずれかの構成に加えて結露促進手段１０に照射する発光手段２３として白色ＬＥＤを結露促進手段１０側からアクリル樹脂１２を透過して吹出口３へ向けて設けている。制御手段１３は本体１の運転、停止に連動して発光手段２３が点灯するように制御している。
【００６４】
上記構成において、運転開始信号が制御手段１３に送られると、制御手段１３は送風手段４の通電と連動し発光手段２３を点灯させ白色の光を照射する。照射された光は結露促進手段１０のアクリル樹脂１２を透過し結露状態の背面を照らし出すこととなる。照射された光により結露促進手段の結露状態を認識しやすくすることができる。
【００６５】
（実施の形態９）
次に、本発明の実施の形態９について図面を参照しながら説明する。なお、実施の形態１から８と同一のものは同一番号を付し、その詳細な説明を省略する。
【００６６】
図１０に示すように、図１から９のいずれかの構成に加えて結露促進手段１０に照射する複数の発光手段２３ａとして白色ＬＥＤと発光手段２３ｂとして緑色ＬＥＤを結露促進手段１０側からアクリル樹脂１２を透過して吹出口３へ向けてそれぞれ設けている。制御手段１３は送風手段４の強運転時は発光手段２３ａの白色を点灯し、弱運転時は発光手段２３ｂの緑色を点灯するように制御している。
【００６７】
上記構成において、送風スイッチ（図示せず）を強に切り換えると動作信号が制御手段１３に送られる。動作信号により制御手段１３は送風手段４を強運転し、連動して発光手段２３ａを点灯させ白色の光を照射する。また、送風スイッチを弱に切り換えると動作信号が制御手段１３に送られる。動作信号により制御手段１３は送風手段４を弱運転し、連動して発光手段２３ｂを点灯させ緑色の光を照射する。また、強運転を青色、弱運転を白色としても良い。運転に応じて色を変え照射された光により結露促進手段１０の結露状態を認識しやすくすることができる。
【００６８】
（実施の形態１０）
次に、本発明の実施の形態１０について図面を参照しながら説明する。なお、実施の形態１から９と同一のものは同一番号を付し、その詳細な説明を省略する。
【００６９】
図１１に示すように、図１から１０のいずれかの構成に加えて制御手段１３は加湿装置の運転停止後、所定の時間送風運転する遅延タイマーで構成する遅延手段２４を設けた構成とする。
【００７０】
上記構成において、運転停止信号が制御手段１３に送られると、加熱手段５と回転手段９および結露促進手段１０の運転を停止する。動作信号により制御手段１３は３分間の遅延手段２４のカウントを開始し、所定の時間送風運転を行う。運転停止後は送風により結露を早く乾燥させることができる。
【産業上の利用可能性】
【００７１】
サウナ装置等にも適用できる。
【図面の簡単な説明】
【００７２】
【図１】本発明の実施の形態１の加湿装置の構成を示す側面概略図
【図２】同実施の形態１の加湿装置の構成を示す正面概略図
【図３】同実施の形態２の加湿装置の構成を示す側面概略図
【図４】同実施の形態３の加湿装置の構成を示す側面概略図
【図５】同実施の形態４の加湿装置の構成を示す側面概略図
【図６】同実施の形態５の加湿装置の構成を示す側面概略図
【図７】同実施の形態６の加湿装置の構成を示す斜視概略図
【図８】同実施の形態７の加湿装置の構成を示す斜視概略図
【図９】同実施の形態８の加湿装置の構成を示す正面概略図
【図１０】同実施の形態９の加湿装置の構成を示す正面概略図
【図１１】同実施の形態１０の加湿装置の構成を示す側面概略図
【図１２】従来の加湿装置の構成図
【符号の説明】
【００７３】
１      本体
２      吸込口
３      吹出口
４      送風手段
５      加熱手段
６      給水タンク
７      水槽
８      加湿フィルターユニット
９      回転手段
１０    結露促進手段
１１    放熱手段
１２    アクリル樹脂
１３    制御手段
１４    加湿フィルター
１５    風向板
１６    吹出温度センサ
１７    冷却温度センサ
１８    吸込温度センサ
１９    間欠駆動手段
２０    遮蔽手段
２１    排水手段
２２    開口部
２３    発光手段
２３ａ  発光手段
２３ｂ  発光手段
２４    遅延手段
【図１】
2009257643.tif 000003
【図２】
2009257643.tif 000004
【図３】
2009257643.tif 000005
【図４】
2009257643.tif 000006
【図５】
2009257643.tif 000007
【図６】
2009257643.tif 000008
【図７】
2009257643.tif 000009
【図８】
2009257643.tif 000010
【図９】
2009257643.tif 000011
【図１０】
2009257643.tif 000012
【図１１】
2009257643.tif 000013
【図１２】
2009257643.tif 000014